(57)【要約】【課題】  折り畳んだ状態において、杖として使用可能な折り畳み式の椅子であり、杖として使用するときは、脚をコンパクトに重ね合わせることができ、安全に歩行することができる椅子を提供する。【解決手段】  上部に握柄１２を備えた第１脚部材１１と、第２脚部材２１が球状の連結部位３で摺動自在に連結しており、腰掛け部材３１が、第１のヒンジ構造５１を介し、第１脚部材１１に沿って摺動可能なスライド部材４１と回動自在に連結し、かつ、裏面で第２のヒンジ構造を介して第２脚部材２１の上部と回動自在に連結していることにより、第１脚部材１１と第２脚部材２１とが連結部位３で交差し、スライド部材４１がストッパー構造により下方への摺動が抑止された第１の状態と、第１脚部材１１と第２脚部材２１とが沿い、スライド部材４１が第１の状態より上方に上がっている第２の状態とに変化する。【選択図】  図１
2007209590.tif 000002
【特許請求の範囲】
【請求項１】
上部に握柄を備えた第１脚部材と、前記第１脚部材に連結した第２脚部材と、前記第１脚部材と前記第２脚部材とにより支持される腰掛け部材と、を備えた椅子であって、
前記第１脚部材に設けられた第１連結部の球状外面に、前記第２脚部材に設けられた第２連結部が摺動自在に嵌合し連結部位を構成し、
前記第１脚部材は、前記第１脚部材に沿って摺動自在に備えられたスライド部材と、前記スライド部材の下方において、前記スライド部材の摺動を抑止するストッパー構造と、を有しており、
前記腰掛け部材は、第１のヒンジ構造を介して前記スライド部材と回動自在に連結し、かつ、この腰掛け部材の裏面に設けられた第２のヒンジ構造を介して前記第２脚部材の上部と回動自在に連結しており、
前記第１脚部材と前記第２脚部材とが前記連結部位で交差し、前記スライド部材が前記ストッパー構造により下方への摺動が抑止された第１の状態と、
前記第１脚部材と前記第２脚部材とが沿い、前記スライド部材が前記第１の状態より上方に上がっている第２の状態と、に変化することを特徴とする椅子。
【請求項２】
請求項１に記載の椅子であって、
前記第１脚部材はパイプ状であり、
前記第１脚部材の側面には、前記第１連結部と前記ストッパー構造との間に位置する上孔と、前記第１連結部より下側に位置する下孔と、が設けられており、
前記第１脚部材の内部には、前記上孔と前記下孔とを渡してロープが通されており、
前記ロープは、上孔から出る一端が前記スライド部材に固定され、下孔から出る他端が前記第２脚部材に固定されており、
前記ロープには、凸部が設けられており、前記第１の状態において、前記第１脚部材の側面で、前記凸部が前記上孔を通過できないことにより、前記第１脚部材と前記第２脚部材との交差する角度の拡がりを抑止することを特徴とする椅子。
【請求項３】
請求項１または請求項２に記載の椅子であって、
前記第２脚部材は、前記第１脚部材に対向した面がくぼんでいる樋状であり、前記第２の状態において、前記第２脚部材が前記第１脚部材の外面に覆い重なることができることを特徴とする椅子。
【発明の詳細な説明】
【技術分野】
【０００１】
本発明は、折り畳んだ状態において杖として使用可能な折り畳み式の椅子であり、特に、折り畳んだ状態において、２本の脚が１本の脚のように重なり合う椅子に係る。
【背景技術】
【０００２】
折り畳んだ状態において杖代わりに使用することができる折り畳み式の椅子は、足腰の弱い使用者が外出する際には、特に重宝がられる。特許文献１には、板状の腰掛け部に３本の脚を備えた折り畳み式の椅子が開示されている。この椅子は、３本の脚のうち中央の１本はまっすぐな棒状であり、それを挟むように回動自在に連結した２本の脚は下側が互いに離れるように折り曲げられており、折り畳まれた状態において、中央に位置する１本の脚が地面に接するように構成されており、杖代わりに使用することができる。しかしながら、このような椅子は、地面に接しない２本の脚が杖から離れて広がるように構成されているため、杖として使用するとき、地面に接しない２本の脚が歩行の妨げとなる可能性があった。
【０００３】
【特許文献１】特開平９−７５１７２号公報
【発明の開示】
【発明が解決しようとする課題】
【０００４】
そこで、本発明においては、折り畳んだ状態において、杖として使用可能な折り畳み式の椅子であり、杖として使用するときは、脚をコンパクトに重ね合わせることができ、安全に歩行することができる椅子を提供することを課題とした。
【課題を解決するための手段】
【０００５】
第１の発明は、上部に握柄を備えた第１脚部材と、前記第１脚部材に連結した第２脚部材と、前記第１脚部材と前記第２脚部材とにより支持される腰掛け部材と、を備えた椅子であって、前記第１脚部材に設けられた第１連結部の球状外面に、前記第２脚部材に設けられた第２連結部が摺動自在に嵌合し連結部位を構成し、前記第１脚部材は、前記第１脚部材に沿って摺動自在に備えられたスライド部材と、前記スライド部材の下方において、前記スライド部材の摺動を抑止するストッパー構造と、を有しており、前記腰掛け部材は、第１のヒンジ構造を介して前記スライド部材と回動自在に連結し、かつ、この腰掛け部材の裏面に設けられた第２のヒンジ構造を介して前記第２脚部材の上部と回動自在に連結しており、前記第１脚部材と前記第２脚部材とが前記連結部位で交差し、前記スライド部材が前記ストッパー構造により下方への摺動が抑止された第１の状態と、前記第１脚部材と前記第２脚部材とが沿い、前記スライド部材が前記第１の状態より上方に上がっている第２の状態と、に変化することを特徴とする椅子である。
第１の発明の椅子は、第１連結部の球状外面に、第２連結部が摺動自在に嵌合し、連結部位を構成していることにより、球状外面と第２連結部とが摺動することにより、第１脚部材と第２脚部材とが、連結部位を支点として回動し、交差した状態と、沿った状態とに変化することができる。腰掛け部材は、第１脚部材に摺動自在に設けられたスライド部材と第１のヒンジ構造を介して連結し、第２のヒンジ構造を介して第２脚部材の上部と連結しており、第１脚部材と第２脚部材との状態が変化するのに伴って腰掛け部材の状態も変化することができる。本発明の椅子によれば、第１脚部材と第２脚部材とが連結部位で交差し、スライド部材の下方への摺動が抑止されている第１の状態において、腰掛け部材に腰掛けられる状態となり、第１脚部材と第２脚部材とが沿い、スライド部材が第１の状態より上方に上がっている第２の状態において、折り畳まれた状態となる。
【０００６】
第２の発明は、第１の発明に記載の椅子であって、前記第１脚部材はパイプ状であり、前記第１脚部材の側面には、前記第１連結部と前記ストッパー構造との間に位置する上孔と、前記第１連結部より下側に位置する下孔と、が設けられており、前記第１脚部材の内部には、前記上孔と前記下孔とを渡してロープが通されており、前記ロープは、上孔から出る一端が前記スライド部材に固定され、下孔から出る他端が前記第２脚部材に固定されており、前記ロープには、凸部が設けられており、前記第１の状態において、前記第１脚部材の側面で、前記凸部が前記上孔を通過できないことにより、前記第１脚部材と前記第２脚部材との交差する角度の拡がりを抑止することを特徴とする椅子である。
第２の発明の椅子によれば、ロープの一端はスライド部材に固定されており、他端はパイプ状の第１脚部材に設けられた上孔から第１脚部材の内部を通り、下孔から出て第２脚部材に固定されている。そのロープの上孔より外側に出ている部分は凸部が設けられており、腰掛けられる第１の状態において、凸部が上孔を通過できないことにより、第１脚部材と第２脚部材との交差の角度が所定の角度以上に拡がるのが抑止されている。また、第２の状態においては、ロープはスライド部材に引っ張られて第１脚部材に沿って伸びた状態となるから垂れ下がらない。
【０００７】
第３の発明は、第１の発明または第２の発明に記載の椅子であって、前記第２脚部材は、前記第１脚部材に対向した面がくぼんでいる樋状であり、前記第２の状態において、前記第２脚部材が前記第１脚部材の外面に覆い重なることができることを特徴とする椅子である。
第３の発明の椅子によれば、折り畳まれた第２の状態において第２脚部材が第１脚部材に覆い重なり、第１脚部材と第２脚部材が一本の脚部材のような格好となることができる。
【発明の効果】
【０００８】
第１の発明の椅子によれば、折り畳み可能であり、第１の状態において、腰掛け部材に腰掛けられる状態となり、第２の状態において、折り畳まれた状態となり、第１脚部材を支柱とし、杖として使用することができる。この折り畳まれた状態（第２の状態）において、２本の脚部材が沿った状態となるため、杖として使用しない第２脚部材が歩行の邪魔になることがなく、安全に歩行することができる。
第２の発明の椅子によれば、第１脚部材と第２脚部材との交差の角度の拡がりがロープにより抑止され、腰掛けられる第１の状態において、安定性に優れるとともに、第２の状態において、ロープが垂れ下がることなく、歩行時の安全が保持される。
第３の発明の椅子によれば、折り畳まれた状態（第２の状態）において、杖として使用するときは、使用しない第２脚部材が支柱となる第１脚部材に重なり合うため、使用しない第２脚部材が邪魔になることなく安全に歩行できる。しかも、見た目にもすっきりとしており携帯性に優れる。
【発明を実施するための最良の形態】
【０００９】
以下、図面を参照しながら、本発明を実施するための最良の形態について説明する。図１は、本実施の形態に係る椅子の斜視図であり、第１の状態を実線で示し、第２の状態を二点鎖線で示した図である。図２は、図１の椅子の第２の状態における背面図である。図３は、図１の椅子の第１の状態における側面図の腰掛け部材を一部切り欠いて示す部分図であり、図４は、図１の椅子の第２の状態における側面図の腰掛け部材を一部切り欠いて示す部分図である。図５（ａ）は、図２に示す椅子のＡ−Ａ断面図であり、図５（ｂ）は、図２に示す椅子のＢ−Ｂ切断部の端面を示す図であり、図５（ｃ）は、図２に示す椅子のＣ−Ｃ切断部の端面を示す図である。図６（ａ）は、図１の椅子の第１脚部材の背面図であり、図６（ｂ）は、図６（ａ）に示す第１脚部材のＤ−Ｄ断面図であり、図６（ｃ）は、図６（ｂ）に示す第１脚部材のＥ−Ｅ断面図である。
【００１０】
図１に示すように、椅子１は、上部に握柄１２を備えた第１脚部材１１と、第１脚部材１１に連結した第２脚部材２１と、第１脚部材１１と第２脚部材２１とにより支持される腰掛け部材３１とを備えており、第１脚部材１１に設けられた第１連結部１３の球状外面１４に、第２脚部材２１に設けられた第２連結部２３が摺動自在に嵌合し連結部位３を構成している。
【００１１】
具体的には、図１に示すように、椅子１には、略Ｌ字状の握柄１２を備えた第１脚部材１１と第２脚部材２１とが備えられており、円盤状の腰掛け部材３１が、第１脚部材１１と第２脚部材２１の２本の脚部材により支持されている。第１脚部材１１には、球状外面１４を有する中空球状の第１連結部１３が設けられており（図６（ａ）参照）、第２脚部材２１には、球殻状の第２連結部２３が設けられている。図５（ａ）および図５（ｂ）に示すように、第１連結部１３の球状外面１４に、第２連結部２３が摺動自在に嵌合し、連結部位３を構成している。球状外面１４と第２連結部２３とが摺動することにより、第１脚部材１１と第２脚部材２１とが、連結部位３を支点として回動し、交差した状態と、沿った状態とに変化することができる（図１参照）。
【００１２】
図５（ｂ）に示すように、第１脚部材１１と第２脚部材２１との回動作用を円滑にするために、第２連結部２３の内部にはセンターシャフト２３ａが備えられている。センターシャフト２３ａは、第２連結部２３に溶接して固定されており、第１脚部材１１の長手方向に対し直交した状態で、第１脚部材１１に設けられた孔１１ａ，１１ｂおよび第1連結部材１３に設けられた孔１３ａ，１３ｂを挿通している。このセンターシャフト２３ａは、第１連結部１３と第２連結部２３との回動の回転中心として作用するだけでなく、連結部位３の補強構造としても作用する。
【００１３】
図２に示すように、第１脚部材１１は、第１脚部材１１に沿って摺動自在に備えられたスライド部材４１と、スライド部材４１の下方において、スライド部材４１の摺動を抑止するストッパー構造４５とを有している。
【００１４】
具体的には、スライド部材４１は、第１脚部材１１の外周をめぐるように設けられた円筒状の部材であり、第１連結部１３より上方において第１脚部材１１に沿って摺動自在に備えられている。スライド部材４１の下方においては、円筒状のストッパー部材４５が第１脚部材１１に固定されている。スライド部材４１を下方へ摺動させると、ストッパー部材４５に当接し、スライド部材４１の下方への摺動が抑止される（図３参照）。したがって、本実施の形態においては、ストッパー部材４５が、本発明の「ストッパー構造」に該当する。
【００１５】
図３に示すように、腰掛け部材３１は、第１のヒンジ構造５１を介してスライド部材４１と回動自在に連結し、かつ、この腰掛け部材３１の裏面に設けられた第２のヒンジ構造５５を介して第２脚部材２１（２１ａ）の上部と回動自在に連結している。
【００１６】
具体的には、図３および図４に示すように、第１のヒンジ構造５１の回転軸５２は、第１脚部材１１の長手方向に対して直行するように設けられている。腰掛け部材３１は、その縁が第１のヒンジ構造５１を介して第１脚部材１１に備えられたスライド部材４１に連結している。言い換えれば、腰掛け部材３１は、その腰掛け面３２と第１脚部材１１との角度が変化する方向に回動可能な状態でスライド部材４１に連結している。また、腰掛け部材３１は、その裏面３３に設けられた第２のヒンジ構造５５を介して、第２脚部材２１（２１ａ）の上部に連結している。第２のヒンジ構造５５の回転軸５６は、第１のヒンジ構造５１の回転軸５２と平行に設けられており、第２のヒンジ構造５５は、第１のヒンジ構造５１の動作により腰掛け部材３１が回動するのに伴って動作可能な状態となっている。
【００１７】
第１脚部材１１と第２脚部材２１とが連結部位３で交差し、スライド部材４１がストッパー構造４５により下方への摺動が抑止された第１の状態と、第１脚部材１１と第２脚部材２１とが沿い、スライド部材４１が第１の状態より上方に上がっている第２の状態とに変化する。
【００１８】
具体的には、椅子１は、図１に実線で示す第１の状態と、図１に二点鎖線で示す第２の状態とに変化することができる。第１の状態においては、第１脚部材１１と第２脚部材２１とが連結部位３で交差しており、図３に示すように、スライド部材４１がストッパー部材４５に当接し、スライド部材４１の下方への摺動が抑止されている。このとき、腰掛け部材３１は横になっており、腰掛けることができる。第２の状態においては、第１脚部材１１と第２脚部材２１とが沿い、図４に示すように、スライド部材４１が第１の状態より上方に上がり、腰掛け部材３１が立ち上がった状態となっている。このとき、第２脚部材２１と腰掛け部材３１とが、第１脚部材１１に引き寄せられたような格好となっており、椅子１は折り畳まれた状態となる。この第２の状態において、椅子１は、第１脚部材１１を支柱とし、杖として使用することができる。このとき、２本の脚部材が沿った状態となるため、杖として使用しない第２脚部材２１が歩行の邪魔になることがなく、安全に歩行することができる。
【００１９】
なお、本発明の椅子は、第２の状態において、杖として使用する際にスライド部材４１が下方へ摺動して第１の状態に変化するのを防ぐために、スライド部材４１を上方で係止する手段を備えていると、より好ましい。本実施の形態においては、第１脚部材１１の上方に備えられたロック部材４７がスライド部材４１に設けられたロック孔４２に係合することにより、スライド部材４１を上方で係止することができる。
【００２０】
具体的には、図３に示すように、ロック部材４７は、片側に二つの突起４７ａ，４７ｂを有する細い板状の部材であり、バネ４８を介してユニットパイプ４６の内壁に弾性的に支持されている。ユニットパイプ４６は、第１脚部材１１の内部に嵌め込まれており、第１脚部材１１とユニットパイプ４６のそれぞれに形成された切り欠きが重なり、孔４９を成している。このときロック部材４７は、突起４７ａ，４７ｂが孔４９から突出した状態でユニットパイプ４６の内壁に弾性的に支持されている。スライド部材４１を上方へ摺動すると、スライド部材４１は、その内壁でロック部材４７を第１脚部材１１の内部に押し込みながら摺動する。さらにスライド部材４２を上方へ摺動し、孔４９とスライド部材４１に設けられたロック孔４２が重なると、ロック部材４７はバネ４８の弾性力で押し戻されて、下側の突起４２ａがロック孔４２から突出した状態でロック孔４２の縁に係合する。それにより、スライド部材４１は上方で係止される(図４参照)。なお、上側の突起４２ｂを押し、ロック部材４７を第１脚部材１１の内部に押し込むことにより、ワンタッチで係止状態を解除することができる。
【００２１】
第１脚部材１１はパイプ状であり、第１脚部材１１の側面には、第１連結部１３とストッパー構造４５との間に位置する上孔６１と、第１連結部１３より下側に位置する下孔６３とが設けられている。第１脚部材１１の内部には、上孔６１と下孔６３とを渡してロープ６５が通されており、ロープ６５は、上孔６１から出る一端がスライド部材４１に固定され、下孔６３から出る他端が第２脚部材２１に固定されている。ロープ６５には、凸部６７が設けられており、第１の状態において第１脚部材１１の側面で、凸部６７が上孔６１を通過できないことにより、第１脚部材１１と第２脚部材２１との交差する角度の拡がりを抑止する。
【００２２】
具体的には、図６に示すように、第１脚部材１１はパイプ状であり、その側面には、第１連結部１３を挟み、上孔６１と下孔６３との２つの孔が設けられている。上孔６１と下孔６３とを渡して第１脚部材１１の内部にロープ６５が通されており、そのロープ６５の上孔６１から出る一端は、スライド部材４１に固定されており、下孔６３から出る他端は、第２脚部材２１の下孔６３と対向する位置に固定されている。図１に示すように、ロープ６３には、上孔６１から出ている部分に位置する凸部６７が設けられている。第１脚部材１１と第２脚部材２１とが連結部位３で交差し、その交差の角度が拡がるとき、第２脚部材２１がロープ６５を引っ張りながら拡がる。ここで、「交差の角度」とは、図１にθで示される第１脚部材１１と第２脚部材２１との交差の角度を指している。第１の状態において、凸部６７が上孔６１の縁にひっかかると、上孔６１を通過できず、第２脚部材２１はそれ以上ロープ６５を引っ張ることができない。このことにより、第１脚部材１１と第２脚部材２１との交差の角度は所定以上に拡がらない。
【００２３】
第１の状態において、腰掛け部材３１に人が腰掛けると、腰掛け部材３１には下がる方向の力が加わり、それに伴い第１脚部材１１と第２脚部材２１とには、交差の角度がより拡がる方向に力が加わる。このとき、ストッパー部材４５がスライド部材４１の下方向への摺動を抑止し、さらに、ロープ６５の凸部６７が上孔６１に引っかかることにより、第１脚部材１１と第２脚部材２１との交差の角度の拡がりが抑止される。このように、ストッパー部材４５の作用に加えて、ロープ６５が作用することにより、人が腰掛けた状態においても確実に第１の状態を保つことができる。したがって、椅子として使用するときは、安定して腰掛けた人を支えることができる。なお、本実施の形態においては、第２脚部材２１の下端１５は、第２の状態において、歩行の邪魔にならない程度の大きさでＴ字状に形成されている。これにより、第１の状態において、椅子１は単独で立つことが可能であり、人が腰を掛けるときは、左右にぐらつくことなく、より安定して腰掛けられる。
【００２４】
また、椅子１が第２の状態となるとき、ロープ６５は、スライド部材４１に引っ張られ、第１脚部材１１に沿って伸びた状態となり、杖として使用するときに、垂れ下がって脚に引っかかることがない。したがって、ロープ６５の長さは、少なくとも、スライド部材４１の上方への摺動を妨げず、第２の状態において垂れ下がらない長さでなければならない。
【００２５】
なお、図６（ｂ）および図６（ｃ）に示すように、下孔６３の内側においては、緩やかに湾曲して下孔６３へ続くガイド溝６４が設けられており、そのガイド溝６４に沿ってロープ６５が通されている。ロープ６５がガイド溝６４に沿って下孔６３を出入りするため、ロープ６５と下孔６３の縁との摩擦が軽減され、摩擦によりロープ６３が細くなったり、切断したりするのを防ぐことができる。
【００２６】
第２脚部材２１は、第１脚部材１１に対向した面２５がくぼんでいる樋状であり、前記第２の状態において、前記第２脚部材２１が第１脚部材１１の外面に覆い重なることができる。
【００２７】
具体的には、第２脚部材２１は、樋状の部位２１ａ，２１ｂと、第２連結部２３とからなり、第２連結部２３を挟んで、互いに反対向きの面が開口した２本の樋状の部位２１ａ，２１ｂが連なっているような格好となっている。また、その樋状の部位２１ａ，２１ｂが使用に伴い徐々に広く開口するのを防ぐために、外周に沿って湾曲し帯状に突出するように形成された複数の補強構造２６が設けられている。図５（ｃ）示すように、第２の状態においては、第２脚部材２１（２１ａ，２１ｂ）が第１脚部材１１に覆い重なり、その結果、第１脚部材１１と第２脚部材２１が一本の脚部材のような格好となる（図１に示す二点鎖線図および図２参照）。これにより、椅子１をよりコンパクトに折り畳むことができる。したがって、第２の状態において、椅子１を杖として使用するときは、使用しない第２脚部材２１が邪魔になることなく安全に歩行できるだけでなく、見た目にもすっきりとしており携帯性に優れる。
【００２８】
また、図６（ａ）に示すように、第１脚部材１１には複数のクッション材１９が備えられている。このクッション材１９は、第２の状態において杖として使用するときに、第１脚部材１１と第２脚部材２１（２１ａ，２１ｂ）との間に位置し、第１脚部材１１と第２脚部材２１（２１ａ，２１ｂ）とが接触して音が出るのを防ぎ、防音効果を発揮する。
【００２９】
以上の構成の椅子１は、以下の動作をする。
椅子１は、腰掛けられる第１の状態と、折り畳まれて杖として使用することができる第２の状態とに変化させることができる。第１の状態においては、第１脚部材１１と第２脚部材２１とが連結部位３で交差し、腰掛け部材３１は横になっており、スライド部材４１がストッパー部材４５に当接し、スライド部材４１の下方への摺動が抑止される。第２の状態においては、第１脚部材１１と第２脚部材２１とが沿い、スライド部材４１が第１の状態より上方に上がり、腰掛け部材３１が立ち上がった状態となる。
さらに、第１の状態においては、ロープ６５の凸部６７が上孔６１に引っかかることにより、第１脚部材１１と第２脚部材２１との交差の角度の拡がりが抑止されているため安定性に優れている。第２の状態においては、ロープ６５が第１脚部材１１に沿って伸び、第２脚部材２１が第１脚部材１１に覆い重なることによって一本の脚部材のような格好となるため、ロープ６５および使用しない第２脚部材２１が邪魔になることなく、杖として使用したときに安全に歩行できる。
【００３０】
なお、本発明において、各部材の材質は特に限定されるものではなく、形状についても、本実施の形態に限定されるものではない。
第１脚部材１１および第２脚部材２１には、アルミやスチール等の金属、カーボン、合成樹脂等の種々の材料を用いることができる。第１脚部材１１の握柄１２の形状は、略Ｌ字状に限らず、例えば、Ｔ字状に形成されているものや、直線状で指が馴染みやすいようにくぼみや溝が形成されているようなものであってもよく、手でつかみやすいように形成されたつまみ状のものであれば、どのような形状でもよい。また、第１脚部材１１および第２脚部材２１の下端には、合成ゴムや合成樹脂等の弾性材により形成された、クッションを兼ねた滑り止め１７，２７ａ，２７ｂを設けることもできる。
【００３１】
腰掛け部材３１には、金属、合成樹脂、木材、皮、スポンジ、布等の各種の材料を用いることができ、これらを複数組み合わせて用いてもよい。また、腰掛け部材３１の形状は特に限定されず、種々の形状とすることができる。例えば、金属板の芯材に、弾性材としてスポンジを重ね、さらに表面を柔らかい布で覆い、形成することができる。
【００３２】
ロープ６５としては、ワイヤーロープ、合成樹脂製のロープ等、種々のロープを用いることができる。
【図面の簡単な説明】
【００３３】
【図１】本実施の形態に係る椅子の斜視図である。
【図２】図１の椅子の第２の状態における背面図である。
【図３】図１の椅子の第１の状態における側面図の腰掛け部材を一部切り欠いて示す部分図である。
【図４】図１の椅子の第２の状態における側面図の腰掛け部材を一部切り欠いて示す部分図である。
【図５】（ａ）は図２に示す椅子のＡ−Ａ断面図であり、（ｂ）は図２に示す椅子のＢ-Ｂ切断部の端面を示す図であり、（ｃ）は図２に示す椅子のＣ−Ｃ切断部の端面を示す図である。
【図６】（ａ）は、図１の椅子の第１脚部材の背面図であり、（ｂ）は、図６（ａ）に示す第１脚部材のＤ−Ｄ断面図であり、（ｃ）は、図６に示す第１脚部材のＥ−Ｅ断面図である。
【符号の説明】
【００３４】
１  椅子
３  連結部位
１１  第１脚部材
１２  握柄
１３  第１連結部
１４  球状外面
２１  第２脚部材
２３  第２連結部
３１  腰掛け部材
４１  スライド部材
４５  ストッパー部材（ストッパー構造）
５１  第１のヒンジ構造
５５  第２のヒンジ構造
６１  上孔
６３  下孔
６５  ロープ
６７  凸部
【図１】
2007209590.tif 000003
【図２】
2007209590.tif 000004
【図３】
2007209590.tif 000005
【図４】
2007209590.tif 000006
【図５】
2007209590.tif 000007
【図６】
2007209590.tif 000008